(57)【特許請求の範囲】
【請求項１】
それぞれ少なくとも１つの第１の光増幅器と、第２の光増幅器とが前段に配置され、通常時は前記第１の光増幅器から入力される光信号を出力し、前記第１の光増幅器から出力される光信号が異常になった場合には前記第２の光増幅器から入力される光信号を選択して出力する光信号切替装置において、
前記第１および第２の光増幅器から入力されるそれぞれの光信号の状態を検出する検出手段と、
前記検出手段の検出結果に基づいて、前記第１の光増幅器から出力される光信号の入力と、前記第２の光増幅器から出力される光信号の入力と、を切り替える切替手段と、
前記光増幅器の前段に配置される機器から出力される光信号が一時的に遮断されたことに起因して一部または全ての前記光増幅器が出力停止後に再起動した場合に、各光増幅器の出力停止または再起動のタイミングがずれることにより、前記検出手段が前記第１の光増幅器から出力される光信号の異常と判定して、前記第１の光増幅器から出力される光信号の状態を検出してから所定の時間が経過した後に、前記第２の光増幅器から出力される光信号の状態を検出するように制御することで、前記切替手段が前記第１の光増幅器から出力される光信号の入力から、前記第２の光増幅器から出力される光信号の入力に切り替えることを抑制する抑制手段と、
を有することを特徴とする光信号切替装置。
【請求項２】
前記所定の時間をΔＴとし、前記第１または第２の光増幅器が光信号の遮断によって出力停止するまでの時間の最大の個体差をΔｔとした場合に、ΔＴ＞Δｔとなるように設定することで、前記切替手段が前記第１の光増幅器から出力される光信号の入力から、前記第２の光増幅器から出力される光信号の入力に切り替えることを抑制することを特徴とする請求項１に記載の光信号切替装置。
【請求項３】
前記抑制手段は、前記第１および第２の光増幅器の出力停止後の再起動時の光信号を検出する際に、前記第２の光増幅器から入力される光信号が正常な状態が所定の時間経過した後に、前記切替手段が有効となるように制御することで、前記切替手段が前記第１の光増幅器から出力される光信号の入力から、前記第２の光増幅器から出力される光信号の入力に切り替えることを抑制することを特徴とする請求項１または２に記載の光信号切替装置。
【請求項４】
前記所定の時間をΔＴ’とし、前記第１または第２の光増幅器が再起動する時間の最大の個体差をΔｔ’とした場合に、ΔＴ’＞Δｔ’となるように設定することで前記切替手段が前記第１の光増幅器から出力される光信号の入力から、前記第２の光増幅器から出力される光信号の入力に切り替えることを抑制することを特徴とする請求項３に記載の光信号切替装置。
【請求項５】
それぞれ少なくとも１つの第１の光増幅器と、第２の光増幅器とが前段に配置され、通常時は前記第１の光増幅器から入力される光信号を出力し、前記第１の光増幅器から出力される光信号が異常になった場合には前記第２の光増幅器から入力される光信号を選択して出力する光信号切替装置を有するセンタ装置において、
前記光信号切替装置は、
前記第１および第２の光増幅器から入力されるそれぞれの光信号の状態を検出する検出手段と、
前記検出手段の検出結果に基づいて、前記第１の光増幅器から出力される光信号の入力と前記第２の光増幅器から出力される光信号の入力とを切り替える切替手段と、
前記光増幅器の前段に配置される機器から出力される光信号が一時的に遮断されたことに起因して一部または全ての前記光増幅器が出力停止後に再起動した場合に、各光増幅器の出力停止または再起動のタイミングがずれることにより、前記検出手段が前記第１の光増幅器から出力される光信号の異常と判定して、前記第１の光増幅器から出力される光信号の状態を検出してから所定の時間が経過した後に、前記第２の光増幅器から出力される光信号の状態を検出するように制御することで、前記切替手段が前記第１の光増幅器から出力される光信号の入力から、前記第２の光増幅器から出力される光信号の入力に切り替えることを抑制する抑制手段と、を有する、
ことを特徴とするセンタ装置。
【請求項６】
前記所定の時間をΔＴとし、前記第１または第２の光増幅器が光信号の遮断によって出力停止するまでの時間の最大の個体差をΔｔとした場合に、ΔＴ＞Δｔとなるように設定することで前記切替手段が前記第１の光増幅器から出力される光信号の入力から、前記第２の光増幅器から出力される光信号の入力に、切り替えることを抑制することを特徴とする請求項５に記載のセンタ装置。
【請求項７】
前記抑制手段は、前記第１および第２の光増幅器の出力停止後の再起動時の光信号を検出する際に、前記第２の光増幅器から入力される光信号が正常な状態が所定の時間経過した後に、前記切替手段が有効となるように制御することで、前記切替手段が前記第１の光増幅器から出力される光信号の入力から、前記第２の光増幅器から出力される光信号の入力に切り替えることを抑制することを特徴とする請求項５または６に記載のセンタ装置。
【請求項８】
前記所定の時間をΔＴ’とし、前記第１または第２の光増幅器が再起動する時間の最大の個体差をΔｔ’とした場合に、ΔＴ’＞Δｔ’となるように設定することで前記切替手段が前記第１の光増幅器から出力される光信号の入力から、前記第２の光増幅器から出力される光信号の入力に切り替えることを抑制することを特徴とする請求項７に記載のセンタ装置。
【発明の詳細な説明】
【技術分野】
【０００１】
本発明は、光信号切替装置およびセンタ装置に関するものである。
【背景技術】
【０００２】
特許文献１の図１０に記載された放送システムでは、光送信機および光増幅器をそれぞれ二系統設けるとともに、分配器を設けて放送信号等を二分配した後、光切換部によって、二系統のうちのいずれかを選択することで、冗長化する構成を有している。このような構成によれば、二系統のうちの一方の機器が故障した場合でも他方を選択することにより、サービスの停止を防ぐことができる。
【０００３】
また、光切換部後段の光カプラにより光信号を分配後、更に第二段の光増幅器により光信号を増幅し、より多くの光端末装置に光信号が到達するようにすることも可能である。この第二段の光増幅器を現用と予備用の複数を設け、その後段に第二段の光切換部を設けることで、第二段の光増幅器が故障した場合でもサービスの停止を防ぐこともできる。
【先行技術文献】
【特許文献】
【０００４】
【特許文献１】特開２０１５−０８９０８２号公報
【発明の概要】
【発明が解決しようとする課題】
【０００５】
ところで、特許文献１に開示された技術では、光切換部によって系統を切り替える際に、光信号の一時的な遮断が発生する。光切換部の後段に設けられた第二段の光増幅器は、入力光が一時的に遮断した場合には、光出力を停止した後、入力光の復旧に伴って再起動を実行する。また、これら複数の光増幅器はそれぞれ独自のタイミングで出力停止と再起動を実行する場合がある。
【０００６】
出力停止時、現用の光増幅器が予備用の光増幅器よりも早く停止すると、その後段の第二段の光切換部は、現用が異常、予備用が正常と判断して、光増幅器に故障が発生していないのに不要な切替が発生してしまうという問題点がある。
【０００７】
また、復旧時には予備用の光増幅器が現用の光増幅器よりも早く復旧すると、同様に現用が異常、予備用が正常と判断して、光増幅器に故障が発生していないのに不要な切替が発生してしまうという問題点がある。
【０００８】
本発明は、上記の課題に鑑み、光増幅器が入力の一時的な遮断により出力停止および再起動した場合に不要な切り替えが生じない光信号切替装置およびセンタ装置を提供することを目的としている。
【課題を解決するための手段】
【０００９】
上記課題を解決するために、本発明は、それぞれ少なくとも１つの第１の光増幅器と、第２の光増幅器とが前段に配置され、通常時は前記第１の光増幅器から入力される光信号を出力し、前記第１の光増幅器から出力される光信号が異常になった場合には前記第２の光増幅器から入力される光信号を選択して出力する光信号切替装置において、前記第１および第２の光増幅器から入力されるそれぞれの光信号の状態を検出する検出手段と、前記検出手段の検出結果に基づいて、前記第１の光増幅器から出力される光信号の入力と、前記第２の光増幅器から出力される光信号の入力と、を切り替える切替手段と、前記光増幅器の前段に配置される機器から出力される光信号が一時的に遮断されたことに起因して一部または全ての前記光増幅器が出力停止後に再起動した場合に、各光増幅器の出力停止または再起動のタイミングがずれることにより、前記検出手段が前記第１の光増幅器から出力される光信号の異常と判定して、前記第１の光増幅器から出力される光信号の状態を検出してから所定の時間が経過した後に、前記第２の光増幅器から出力される光信号の状態を検出するように制御することで、前記切替手段が前記第１の光増幅器から出力される光信号の入力から、前記第２の光増幅器から出力される光信号の入力に切り替えることを抑制する抑制手段と、を有することを特徴とする。
このような構成によれば、光増幅器が入力の一時的な遮断により出力停止および再起動した場合に不要な切り替えが生じることを抑制できる。
【００１１】
また、本発明は、前記所定の時間をΔＴとし、前記第１または第２の光増幅器が光信号の遮断によって出力停止するまでの時間の最大の個体差をΔｔとした場合に、ΔＴ＞Δｔとなるように設定することで、前記切替手段が前記第１の光増幅器から出力される光信号の入力から、前記第２の光増幅器から出力される光信号の入力に切り替えることを抑制することを特徴とする。
このような構成によれば、光増幅器が出力停止した場合に、不要な切り替えが生じることを確実に抑制することができる。
【００１２】
また、本発明は、前記抑制手段は、前記第１および第２の光増幅器の出力停止後の再起動時の光信号を検出する際に、前記第２の光増幅器から入力される光信号が正常な状態が所定の時間経過した後に、前記切替手段が有効となるように制御することで、前記切替手段が前記第１の光増幅器から出力される光信号の入力から、前記第２の光増幅器から出力される光信号の入力に切り替えることを抑制することを特徴とする。
このような構成によれば、光増幅器が再起動した場合に、不要な切り替えが生じることを抑制できる。
【００１３】
また、本発明は、前記所定の時間をΔＴ’とし、前記第１または第２の光増幅器が再起動する時間の最大の個体差をΔｔ’とした場合に、ΔＴ’＞Δｔ’となるように設定することで前記切替手段が前記第１の光増幅器から出力される光信号の入力から、前記第２の光増幅器から出力される光信号の入力に切り替えることを抑制することを特徴とする。
このような構成によれば、光増幅器が再起動した場合に、不要な切り替えが生じることを確実に抑制することができる。
【００１４】
また、本発明は、それぞれ少なくとも１つの第１の光増幅器と、第２の光増幅器とが前段に配置され、通常時は前記第１の光増幅器から入力される光信号を出力し、前記第１の光増幅器から出力される光信号が異常になった場合には前記第２の光増幅器から入力される光信号を選択して出力する光信号切替装置を有するセンタ装置において、前記光信号切替装置は、前記第１および第２の光増幅器から入力されるそれぞれの光信号の状態を検出する検出手段と、前記検出手段の検出結果に基づいて、前記第１の光増幅器から出力される光信号の入力と前記第２の光増幅器から出力される光信号の入力とを切り替える切替手段と、前記光増幅器の前段に配置される機器から出力される光信号が一時的に遮断されたことに起因して一部または全ての前記光増幅器が出力停止後に再起動した場合に、各光増幅器の出力停止または再起動のタイミングがずれることにより、前記検出手段が前記第１の光増幅器から出力される光信号の異常と判定して、前記第１の光増幅器から出力される光信号の状態を検出してから所定の時間が経過した後に、前記第２の光増幅器から出力される光信号の状態を検出するように制御することで、前記切替手段が前記第１の光増幅器から出力される光信号の入力から、前記第２の光増幅器から出力される光信号の入力に切り替えることを抑制する抑制手段と、を有する、ことを特徴とする。
このような構成によれば、光増幅器が入力の一時的な遮断により出力停止および再起動した場合に不要な切り替えが生じることを抑制できる。
【００１６】
また、本発明は、前記所定の時間をΔＴとし、前記第１または第２の光増幅器が光信号の遮断によって出力停止するまでの時間の最大の個体差をΔｔとした場合に、ΔＴ＞Δｔとなるように設定することで前記切替手段が前記第１の光増幅器から出力される光信号の入力から、前記第２の光増幅器から出力される光信号の入力に、切り替えることを抑制することを特徴とする。
このような構成によれば、光増幅器が出力停止した場合に、不要な切り替えが生じることを確実に抑制することができる。
【００１７】
また、本発明は、前記抑制手段は、前記第１および第２の光増幅器の出力停止後の再起動時の光信号を検出する際に、前記第２の光増幅器から入力される光信号が正常な状態が所定の時間経過した後に、前記切替手段が有効となるように制御することで、前記切替手段が前記第１の光増幅器から出力される光信号の入力から、前記第２の光増幅器から出力される光信号の入力に切り替えることを抑制することを特徴とする。
このような構成によれば、光増幅器が再起動した場合に、不要な切り替えが生じることを抑制できる。
【００１８】
また、本発明は、前記所定の時間をΔＴ’とし、前記第１または第２の光増幅器が再起動する時間の最大の個体差をΔｔ’とした場合に、ΔＴ’＞Δｔ’となるように設定することで前記切替手段が前記第１の光増幅器から出力される光信号の入力から、前記第２の光増幅器から出力される光信号の入力に切り替えることを抑制することを特徴とする。
このような構成によれば、光増幅器が再起動した場合に、不要な切り替えが生じることを確実に抑制することができる。
【発明の効果】
【００１９】
本発明によれば、光増幅器が一時的な入力の遮断により出力の停止および再起動した場合でも不要な切り替えが生じない光信号切替装置およびセンタ装置を提供することが可能となる。
【図面の簡単な説明】
【００２０】
【図１】本発明の実施形態に係るセンタ装置の構成例を示す図である。
【図２】図１に示すＮ＋１光スイッチの構成例を示す図である。
【図３】図２に示すＮ＋１光スイッチの動作を説明する図である。
【図４】図２に示すＮ＋１光スイッチに入力される光信号の状態と光切替動作の関係を示す図である。
【図５】図１に示す実施形態の動作を説明するタイミングチャートである。
【図６】図１に示す実施形態の動作を説明するタイミングチャートである。
【図７】図２に示すＮ＋１光スイッチの動作を説明する図である。
【図８】図１に示す実施形態の動作を説明するタイミングチャートである。
【図９】図１に示す実施形態の動作を説明するタイミングチャートである。
【図１０】図１に示す実施形態において実行される処理の一例を示すフローチャートである。
【図１１】図１に示す実施形態において実行される処理の一例を示すフローチャートである。
【発明を実施するための形態】
【００２１】
次に、本発明の実施形態について説明する。
【００２２】
（Ａ）本発明の実施形態の構成の説明
図１は、本発明の実施形態に係るＮ＋１光スイッチを有するセンタ装置の構成例を示す図である。この図１の例では、センタ装置１は、光送信器１０−１，１０−２、光増幅器１１−１，１１−２、２×１光スイッチ１２、カプラ１３、マルチポート光増幅器１４−１〜１４−４、および、Ｎ＋１光スイッチ１５−１を有している。センタ装置１は、例えば、放送事業者の局舎等に配置され、放送信号等を光信号に変換して送出する。なお、センタ装置１の下流側には、光ケーブル、クロージャ、各加入者宅に設置されるＯＮＵ（Optical Network Unit）等が接続される。図１では、図面を簡略化するためにＮ＋１光スイッチ１５−１を１つだけ示しているが、実際には、マルチポート光増幅器１４−１〜１４−４の出力ポート数に応じた個数のＮ＋１光スイッチを設けることができる。
【００２３】
ここで、光送信器１０−１，１０−２は、放送信号等を光信号に変換して出力する。光増幅器１１−１，１１−２は、光送信器１０−１，１０−２から出力される光信号を増幅して出力する。２×１光スイッチ１２は、光増幅器１１−１，１１−２から出力される光信号のいずれか一方を選択して出力する。カプラ１３は、２×１光スイッチ１２から出力される光信号を４分岐してマルチポート光増幅器１４−１〜１４−４にそれぞれ供給する。
【００２４】
マルチポート光増幅器１４−１〜１４−３（請求の範囲中の「第１の光増幅器」に対応）およびマルチポート光増幅器１４−４（請求の範囲中の「第２の光増幅器」に対応）は、カプラ１３から供給される光信号を増幅するとともに、分岐して複数（例えば、４つまたは８つ）のポートから出力する。なお、図１に示す実施形態では、マルチポート光増幅器１４−１〜１４−３は現用とされ、マルチポート光増幅器１４−４は予備用とされている。
【００２５】
Ｎ＋１光スイッチ１５−１（請求の範囲中の「光信号切替装置」に対応）は、通常時には、マルチポート光増幅器１４−１〜１４−３からポートＩＮ１〜ＩＮ３を介して入力した光信号をポートＯＵＴ１〜ＯＵＴ３から出力する。また、マルチポート光増幅器１４−１〜１４−３からポートＩＮ１〜ＩＮ３を介して入力した光信号のいずれか１つに異常が発生した場合には、マルチポート光増幅器１４−４からポートＩＮＢを介して入力された信号を代替して出力する。また、マルチポート光増幅器１４−１〜１４−３からポートＩＮ１〜ＩＮ３を介して入力した光信号の複数に異常が発生した場合には、マルチポート光増幅器１４−４からポートＩＮＢを介して入力した光信号を、ポートＯＵＴ１〜ＯＵＴ３のうち最も優先順位が高いポートから代替して出力する。
【００２６】
図２は、図１に示すＮ＋１光スイッチ１５−１の詳細な構成例を示す図である。この図２に示すように、Ｎ＋１光スイッチ１５−１は、光入力検出部１５１〜１５４、光切替部１５５、および、制御部１５６を有している。ここで、光入力検出部１５１〜１５４（請求の範囲中の「検出手段」に対応）は、ポートＩＮ１〜ＩＮ３およびポートＩＮＢから入力される光信号レベルを検出して制御部１５６に通知する。光切替部１５５（請求の範囲中の「切替手段」に対応）は制御部１５６の制御に応じてポートＩＮ１〜ＩＮ３およびポートＩＮＢから入力される光信号を選択して、ポートＯＵＴ１〜ＯＵＴ３から出力する。制御部１５６（請求の範囲中の「抑制手段」に対応）は、光入力検出部１５１〜１５４の検出結果に基づいて光切替部１５５を制御する。なお、図２の例では、３つの現用の光信号と、１つの予備用の光信号を扱う光スイッチを示しており、「Ｎ＋１」のＮは現用の個数を示し、１は予備用の数を示していることから、Ｎ＝３である。もちろん、Ｎ＝３以外の光スイッチを用いることも可能である。
【００２７】
図３は、図２に示すＮ＋１光スイッチ１５−１の接続状態を示す図である。この図３（Ａ）は通常時の接続状態を示しており、図３（Ｂ）はＩＮ１からの光信号が異常である場合の接続状態を示している。図３（Ａ）では、破線で示すように、ポートＩＮ１〜ＩＮ３から入力される光信号はポートＯＵＴ１〜ＯＵＴ３にそれぞれ出力される接続状態となっている。また、図３（Ｂ）ではポートＩＮ２，ＩＮ３から入力された光信号はポートＯＵＴ２，ＯＵＴ３にそれぞれ出力される接続状態となっており、ポートＩＮＢから入力された光信号がポートＯＵＴ１に出力される接続状態となっている。
【００２８】
（Ｂ）本発明の実施形態の動作の説明
つぎに、本発明の実施形態の動作について説明する。以下では、まず、図４を参照して図２に示す光入力検出部１５１〜１５４によって検出される光信号のレベルと、光切替動作の関係について説明した後に、本発明の実施形態の詳細な動作について説明する。
【００２９】
図４は、光入力検出部１５１〜１５４によって検出される光信号のレベルと、光切替動作の関係について説明する図である。この図４において、「Ｐ１〜Ｐ３」はポートＩＮ１〜ＩＮ３に入力された光信号が光入力検出部１５１〜１５３によって検出された結果を示し、「ＰＢ」はポートＩＮＢに入力された光信号が光入力検出部１５４によって検出された結果を示している。なお、「〇」は光信号のレベルが正常であること示し、「×」は光信号のレベルが正常でないこと示している。また、図４の左端の「Ｎｏ」は各状態に付与された番号を示している。
【００３０】
図４のＮｏ１に示すＰ１〜Ｐ３とＰＢの全てが正常な場合には光切替動作を実行しない無動作となる。Ｎｏ２に示すＰ１のみ異常でＰ２，Ｐ３，ＰＢが正常な場合にはＩＮ１をＩＮＢに切り替える動作を実行する。Ｎｏ３に示すＰ２のみ異常でＰ１，Ｐ３，ＰＢが正常な場合にはＩＮ２をＩＮＢに切り替える動作を実行する。Ｎｏ４に示すＰ３のみ異常でＰ１，Ｐ２，ＰＢが正常な場合にはＩＮ３をＩＮＢに切り替える動作を実行する。
【００３１】
また、Ｎｏ５〜Ｎｏ８に示すようにＰＢが異常である場合には、Ｐ１〜Ｐ３の全てが正常なとき、または、Ｐ１〜Ｐ３のいずれか１つが正常なときでも切り替え動作は実行しない。
【００３２】
また、Ｎｏ９〜Ｎｏ１２に示すようにＰＢが正常である場合に、Ｐ１〜Ｐ３の任意の２つが異常なとき、または、全てが異常なときには、優先順位が高いポートを対象として切り替え動作を実行する。なお、図４の例では、ＩＮ１〜ＩＮ３の順に優先順位が高く設定されているので、例えば、Ｎｏ９に示すようにＰ１，Ｐ２の双方が異常である場合には優先順位が高いＩＮ１が切り替えの対象となる。
【００３３】
また、Ｎｏ１３〜Ｎｏ１６に示すようにＰＢが異常である場合には、Ｐ１〜Ｐ３の任意の２つが異常なとき、または、Ｐ１〜Ｐ３の全てが異常なときでも切り替え動作は実行しない。
【００３４】
つぎに、本実施形態の詳細な動作について説明する。なお、以下では、本発明を適用しない場合の動作について説明した後に、本発明を適用した場合の動作について説明する。
【００３５】
例えば、２×１光スイッチ１２が光増幅器１１−１を選択している場合に、光送信器１０−１または光増幅器１１−１が故障したときには、２×１光スイッチ１２は光増幅器１１−１から光増幅器１１−２に切り替える処理を実行する。２×１光スイッチ１２を切り替える際には一定の時間を要するため、２×１光スイッチ１２から出力される光信号は、図５（Ａ）に示すように、一定時間だけ瞬断する。より詳細には、時刻ｔ１において２×１光スイッチ１２の切り替え動作が発生すると、一定時間τの間、光信号が遮断時出力レベルとなる。このような光信号は、カプラ１３によって分岐され、マルチポート光増幅器１４−１〜１４−４に供給される。
【００３６】
マルチポート光増幅器１４−１〜１４−４は、カプラ１３から供給される光信号が遮断されると、内部の素子の保護や、光入力復帰時の過大出力等を防止する等の目的ために、図５（Ｂ）〜図５（Ｅ）に示すように出力を停止（シャットダウン）するとともに、光入力が復帰した際に再起動する処理を実行する。例えば、マルチポート光増幅器１４−１の場合には、図５（Ｂ）に示すように、２×１光スイッチ１２の出力が時刻ｔ１において遮断されると、時刻ｔ３において出力を停止し（シャットダウンし）、時刻ｔ４において再起動動作を開始して出力を徐々に増加し、時刻ｔ５において再起動が完了する。このような光信号は、Ｎ＋１光スイッチ１５−１に入力される。
【００３７】
Ｎ＋１光スイッチ１５−１は、図４に示すように、ポートＩＮ１〜ＩＮ３およびポートＩＮＢから入力される光信号のレベルに応じて、切り替え動作を実行する。ここで、マルチポート光増幅器１４−１〜１４−４は出力停止および再起動のタイミングが相互に異なる場合がある。このため、例えば、図５に示すように、マルチポート光増幅器１４−２，１４−３が時刻ｔ２で出力停止し、マルチポート光増幅器１４−１，１４−４が時刻ｔ３で出力停止したとする。このような場合に、Ｎ＋１光スイッチ１５−１が、時刻ｔ２と時刻ｔ３の間のタイミングで、これら全ての光信号の状態を同時に検出したとすると、ポートＩＮ２，ＩＮ３から入力される光信号は異常であると検出され、ポートＩＮ１，ＩＮＢから入力される光信号は正常であると検出される。このため、図４のＮｏ１０の状態と判定されるので、Ｎ＋１光スイッチ１５−１は、ポートＩＮ２を切り替え対象とする動作、すなわち、ポートＩＮＢをＯＵＴ２に接続する動作を実行する。なお、マルチポート光増幅器１４−２，１４−３は実際には正常であることから、以上の動作によって不要な切り替え動作が実行されることになる。
【００３８】
その後、時刻ｔ３〜ｔ４の期間においては、マルチポート光増幅器１４−１〜１４−４の全ての出力が異常の状態となることから、Ｎ＋１光スイッチ１５−１は図４のＮｏ１６の状態と判定する。
【００３９】
つぎに、再起動時の動作について説明する。図６は再起動時の動作の一例を示す図である。この図６の例では、マルチポート光増幅器１４−１，１４−３は、時刻ｔ１３において再起動を開始し、段階的に出力を増加し、時刻ｔ１６において正常な状態に復帰している。マルチポート光増幅器１４−２は、時刻ｔ１２において再起動を開始し、段階的に出力を増加し、時刻ｔ１５において正常な状態に復帰している。マルチポート光増幅器１４−４は、時刻ｔ１１において、再起動を開始し、段階的に出力を増加し、時刻ｔ１４において正常な状態に復帰している。
【００４０】
ここで、Ｎ＋１光スイッチ１５−１が時刻ｔ１５〜ｔ１６の間の任意のタイミングで検出動作を実行した場合、マルチポート光増幅器１４−２，１４−４は正常であり、マルチポート光増幅器１４−１，１４−３は異常であると判定される。この結果、図４に示すＮｏ１１の状態と判定されるため、ＩＮ１が切り替え対象とされる。すなわち、Ｎ＋１光スイッチ１５−１は、ポートＩＮＢをＯＵＴ１に接続する処理を実行する。なお、マルチポート光増幅器１４−１，１４−３は実際には正常であることから、以上の動作によって不要な切り替え動作が実行されることになる。
【００４１】
本発明に係るセンタ装置１では、以上に説明したような不要な切り替え動作を防止するために、以下のような処理を実行する。
【００４２】
すなわち、センタ装置１のＮ＋１光スイッチ１５−１は、ポートＩＮ１〜ＩＮ３およびポートＩＮＢから入力される光信号の状態を光入力検出部１５１〜１５４によって検出する場合、全てを同時に検出するのではなく、図７に示すようなタイミングで検出する。より詳細には、図７の例では、最初にポートＩＮ１から入力される光信号のレベルを光入力検出部１５１によって検出し、つぎに、ポートＩＮ２から入力される光信号のレベルを光入力検出部１５２によって検出し、つぎに、ポートＩＮ３から入力される光信号のレベルを光入力検出部１５３によって検出し、時間ΔＴ後にポートＩＮＢから入力される光信号のレベルを光入力検出部１５４によって検出する。そして、最後に、光入力検出部１５１〜１５４による検出結果に基づいて判定を行う。このような動作は、図７に示すように繰り返し実行される。
【００４３】
なお、光入力検出部１５３が光信号を検出してから、光入力検出部１５４が光信号を検出するまでの時間であるΔＴは、マルチポート光増幅器１４−１〜１４−４が瞬断を検知してから出力をシャットダウンするまでの時間の最大の個体差をΔｔとした場合に、ΔＴ＞Δｔとなるように設定する。このように設定することで、Ｎ＋１光スイッチ１５−１に切り替え動作が発生することを防止できる。これについて、図８を参照して説明する。
【００４４】
図８は、２×１光スイッチ１２が切り替え動作を実行した際の信号の変化を拡大して示す図である。図８の例では、時刻ｔ１において２×１光スイッチ１２が切り替え動作を実行し、時刻ｔ２において最も反応が早いマルチポート光増幅器１４−１が出力を停止し、その後、マルチポート光増幅器１４−２，１４−３が出力を停止し、時刻ｔ３において最も反応が遅いマルチポート光増幅器１４−４が出力を停止している。このとき、マルチポート光増幅器１４−１〜１４−４が瞬断を検知してから出力をシャットダウンするまでの時間の最大の個体差であるΔｔは、マルチポート光増幅器１４−１とマルチポート光増幅器１４−４の停止のタイミングの時間差となる。
【００４５】
このような場合に、時刻ｔ２以前の期間を期間Ａとし、時刻ｔ２〜ｔ３の期間を期間Ｂとし、時刻ｔ３以後の期間を期間Ｃとする。このとき、図８の下に示すように、期間Ｃのタイミングで、ポートＩＮＢから入力される光信号が検出された場合（パターン♯３の場合）、ＰＢは遮断時出力レベルになっている。この場合、図４に示すように、他のポートから入力される光信号のレベルに拘わらず、無動作の状態となるため、切り替え動作は実行されない。また、期間Ｂのタイミングで、ポートＩＮＢから入力される光信号が検出された場合（パターン♯２の場合）、ＰＢは標準出力レベルになっている。このとき、ΔＴ＞Δｔであることから、図７に示す、直前に検出されるＰ３も標準出力レベルになっている。もちろん、それ以前に検出が行われるＰ１，Ｐ２も標準出力レベルになっている。このため、パターン♯２の場合には図４のＮｏ１と判定されることから切り替え動作は実行されない。なお、パターン♯２の場合に、ＰＢが遮断時出力レベルの場合には、他のポートから入力される光信号のレベルに拘わらず、切り替え動作は実行されない。さらに、期間Ａのタイミングで、ポートＩＮＢから入力される光信号が検出された場合（パターン♯１の場合）、ＰＢは標準出力レベルであり、また、それ以前に検出が実行されるＰ１〜Ｐ３も標準出力レベルである。このため、パターン♯１の場合には図４のＮｏ１と判定されることから切り替え動作は実行されない。
【００４６】
以上に説明したように、本発明の実施形態によれば、現用のマルチポート光増幅器１４−１〜１４−３からの光信号を検出した後に、出力停止するまでの時間の最大の個体差Δｔよりも長い一定時間ΔＴ（＞Δｔ）が経過してから予備用のマルチポート光増幅器１４−４からの光信号を検出するようにした。これにより、マルチポート光増幅器１４−１〜１４−４が出力停止した場合であっても、Ｎ＋１光スイッチ１５−１が不要な切り替え動作を実行することを抑制できる。
【００４７】
つぎに、本実施形態の再起動する際の動作について説明する。図９は、再起動時の動作を説明するための図である。この図９の例では、時刻ｔ１１においてマルチポート光増幅器１４−４が再起動を開始し、時間の経過とともに段階的に出力が増加し、時刻ｔ１４において標準出力レベルに復帰する。つぎに、時刻ｔ１２においてマルチポート光増幅器１４−２，１４−３が再起動を開始し、時間の経過とともに段階的に出力が増加し、時刻ｔ１５において標準出力レベルに復帰する。また、時刻ｔ１３においてマルチポート光増幅器１４−１が再起動を開始し、時間の経過とともに段階的に出力が増加し、時刻ｔ１６において標準出力レベルに復帰する。
【００４８】
本実施形態では、予備用のマルチポート光増幅器１４−４から入力される光信号のレベルが標準出力レベルとなる状態をΔＴ’の間維持した後に切替判定を有効にする。ここで、ΔＴ’は、マルチポート光増幅器１４−１〜１４−４の再起動に要する時間の最大の個体差をΔｔ’とした場合に、ΔＴ’＞Δｔ’となるように設定されている。なお、図９の例では、マルチポート光増幅器１４−４とマルチポート光増幅器１４−１の再起動の時間差がΔｔ’に該当する。
【００４９】
このように、予備用のマルチポート光増幅器１４−４から入力される光信号のレベルが標準出力レベルとなる状態をΔＴ’の間維持した後に切替判定を有効にする。すなわち、図４のＮｏ１と判定されることから、不要な光切り替え動作が発生することを防止できる。なお、図４では、マルチポート光増幅器１４−４が最初に再起動しているが、これ以外のタイミングで再起動した場合でも、全てのマルチポート光増幅器からの光信号が正常であると判断される。
【００５０】
つぎに、図１０および図１１を参照して、本発明の実施形態において実行される処理の一例について説明する。まず、図１０は、マルチポート光増幅器１４−１〜１４−４の出力停止時に図２に示すＮ＋１光スイッチ１５−１において実行される処理の一例を示している。図１０に示すフローチャートの処理が開始されると、以下のステップが実行される。
【００５１】
ステップＳ１０では、制御部１５６は、光入力検出部１５１の出力を参照し、ポートＩＮ１の光入力レベルＰ１を検出する。
【００５２】
ステップＳ１１では、制御部１５６は、光入力検出部１５２の出力を参照し、ポートＩＮ２の光入力レベルＰ２を検出する。
【００５３】
ステップＳ１２では、制御部１５６は、光入力検出部１５３の出力を参照し、ポートＩＮ３の光入力レベルＰ３を検出する。
【００５４】
ステップＳ１３では、制御部１５６は、光入力検出部１５４の出力を参照し、ポートＩＮＢの光入力レベルＰＢを検出する。なお、ステップＳ１２において光入力レベルＰ３を検出してからステップＳ１３で光入力レベルＰＢを検出するまでの時間ΔＴは、マルチポート光増幅器１４−１〜１４−４が瞬断を検出して出力を停止するまでの時間の最大の個体差Δｔよりも大きくなるように設定する。
【００５５】
ステップＳ１４では、制御部１５６は、ステップＳ１３で検出したＰＢが正常であるか否かを判定し、正常であると判定した場合（ステップＳ１４：Ｙ）にはステップＳ１５に進み、それ以外の場合（ステップＳ１４：Ｎ）にはステップＳ１６に進む。
【００５６】
ステップＳ１５では、制御部１５６は、ステップＳ１０〜ステップＳ１２で検出したＰ１〜Ｐ３が１つ以上異常か否かを判定し、１つ以上異常と判定した場合（ステップＳ１５：Ｙ）にはステップＳ１６に進み、それ以外の場合にはステップＳ１０に戻って前述の場合と同様の処理を実行する。
【００５７】
ステップＳ１６では、制御部１５６は、光切替部１５５を制御して予備用に切り替える処理を実行する。例えば、Ｐ１〜Ｐ３のいずれか１つが異常である場合には、ＩＮ１〜ＩＮ３のうちの対応するポートを切り替え対象とし、Ｐ１〜Ｐ３の２つ以上が異常な場合には、優先順位に応じたポートを切り替え対象として切り替え動作を実行する。
【００５８】
つぎに、図１１を参照して、マルチポート光増幅器１４−１〜１４−４が出力停止状態から再起動する際に、図２に示すＮ＋１光スイッチ１５−１において実行される処理の一例を示している。図１１に示すフローチャートはＰＢ異常状態から処理が開始されると、以下のステップが実行される。
【００５９】
ステップＳ３０では、制御部１５６は、光入力検出部１５４の出力を参照し、ポートＩＮＢの光入力レベルＰＢを検出する。
【００６０】
ステップＳ３１では、制御部１５６は、ステップＳ３０で検出した光入力レベルＰＢが正常か否かを判定し、正常と判定した場合（ステップＳ３１：Ｙ）にはステップＳ３２に進み、それ以外の場合（ステップＳ３１：Ｎ）にはステップＳ３０に戻って同様の処理を繰り返す。
【００６１】
ステップＳ３２では、制御部１５６は、ウエイト処理を実行する。すなわち、制御部１５６は、ΔＴ’に対応する時間またはそれ以上の時間待機した後、処理を終了する。なお、ウエイト処理中に、ＰＢが異常になった場合には、ステップＳ３０に戻るようにしてもよい。また、図１１に示す処理が終了すると、図１０に示す処理が実行される。
【００６２】
以上の処理によれば、前述した動作を実現することができる。
【００６３】
（Ｃ）変形実施形態の説明
以上の実施形態は一例であって、本発明が上述したような場合のみに限定されるものでないことはいうまでもない。例えば、図１に示す実施形態では、センタ装置１は、４つのマルチポート光増幅器１４−１〜１４−４を有するようにしたが、３つ以下または５つ以上のマルチポート光増幅器を有するようにしてもよい。また、図１に示す実施形態では、Ｎ＋１光スイッチ１５−１は、３つの現用のポートＩＮ１〜ＩＮ３と１つの予備用のポートＩＮＢと３つの出力のポートＯＵＴ１〜ＯＵＴ３を有する３＋１光スイッチとしたが、例えば、２＋１であったり、４＋１以上であったりしてもよい。具体的には、例えば、４＋１、８＋１、１６＋１等の光スイッチとして構成することができる。
【００６４】
また、図１に示すセンタ装置１では、２つの光送信器１０−１，１０−２および２つの光増幅器１１−１，１１−２を有するようにしたが、３つ以上の光送信器および光増幅器を有するようにしてもよい。
【００６５】
また、図７に示す例では、ＩＮ１〜ＩＮ３の順番に光信号の検出を行った後に、ＩＮＢの光信号を検出するようにしたが、例えば、ＩＮ１〜ＩＮ３をこれとは異なる順序で検出したり、あるいは、２つまたは３つを同時に検出するようにしたりしてもよい。なお、そのような場合でも、ＩＮ１〜ＩＮ３のうちで最後に検出するタイミングと、ＩＮＢを検出するタイミングとはΔＴ以上離れるように設定しておけばよい。
【００６６】
また、図５等に示すように、マルチポート光増幅器１４−１〜１４−４が再起動する際には出力が段階的に増加するようにしたが、もちろん、瞬時に増加するようにしてもよい。あるいは、段階的ではなく直線的または曲線的に増加するようにしてもよい。
【００６７】
また、前述した出力停止時の動作と、再起動時の動作の双方を実行するのではなく、これらのいずれか一方のみを実行するようにしてもよい。
【符号の説明】
【００６８】
１  センタ装置
１０−１，１０−２  光送信器
１１−１，１１−２  光増幅器
１２  ２×１光スイッチ
１３  カプラ
１４−１〜１４−３  マルチポート光増幅器（第１の光増幅器）
１４−４  マルチポート光増幅器（第２の光増幅器）
１５−１  Ｎ＋１光スイッチ（光信号切替装置）
１５１〜１５４  光入力検出部（検出手段）
１５５  光切替部（切替手段）
１５６  制御部（抑制手段）
【図１】
0006310424.tif 000002
【図２】
0006310424.tif 000003
【図３】
0006310424.tif 000004
【図４】
0006310424.tif 000005
【図５】
0006310424.tif 000006
【図６】
0006310424.tif 000007
【図７】
0006310424.tif 000008
【図８】
0006310424.tif 000009
【図９】
0006310424.tif 000010
【図１０】
0006310424.tif 000011
【図１１】
0006310424.tif 000012